(57)【要約】  【課題】簡便で確実、迅速に揚重できる玉掛け吊具。  【解決手段】固定板４と胴巻バンド３とを含んでなる。固定板にはスリング２を挿通してスリング上を移動し所要の位置に固定するための少なくとも２つの孔５ａ，５ｂからなるスリング挿通孔が設けられ、固定板のスリング方向に交叉する双方向の端部にはそれぞれ胴巻バンド３ａ，３ｂが取り付けられている。スリング挿通孔にスリングを挿通して固定板をスリングに移動可能に取り付ける。胴巻バンドの取付を容易にするには、胴巻バンドの先端に離合が容易な連結用バックル６を結合し、これを利用し必要な胴巻バンドに連結して玉掛けする。スリングに吊り上げの負荷がかかると、胴巻バンドとスリングとの交叉部８が固定される。  【選択図】図１
2005225597.tif 000002
【特許請求の範囲】
【請求項１】
吊上げ荷重を受けるスリングとスリングに交叉して吊り荷の横転・落下を防止する胴巻バンドとを用いた玉掛けに使用し、スリングと胴巻バンドとの交叉位置を固定するための吊具であって、固定板と胴巻バンドとを含んでなり、固定板にはスリングを挿通してスリング上を移動し所要の位置に固定するための少なくとも２孔からなるスリング挿通孔が設けられ、固定板のスリング方向に交叉する双方向の端部にそれぞれ胴巻バンドが取り付けられていることを特徴とする玉掛け吊具。
【請求項２】
吊上げ荷重を受けるスリング（２）とスリングに交叉して吊り荷（１）の横転・落下を防止する胴巻バンド（３）とを用いた玉掛けに使用し、スリングと胴巻バンドとの交叉位置を固定するための吊具であって、固定板（４）と胴巻バンドと胴巻バンドを連結する連結用バックル（６）とを含んでなり、固定板にはスリングを挿通してスリング上を移動し所要の位置に固定するための少なくとも２孔（５ａ，５ｂ）からなるスリング挿通孔が設けられ、固定板のスリング方向に交叉する双方向の端部にそれぞれ胴巻バンド（３ａ，３ｂ）が取り付けられ、少なくとも一方の胴巻バンドの先端には前記の連結用バックルが結合されていることを特徴とする玉掛け吊具。
【請求項３】
胴巻バンドに、長さ調節用のアジャスター（７）が取り付けられていることを特徴とする請求項１又は２に記載の玉掛け吊具。
【請求項４】
スリング及び胴巻バンドには、いずれも帯体が用いられていることを特徴とする請求項１、２または３に記載の玉掛け吊具。
【請求項５】
前記の連結用バックルとして、セパレートタイプの連結用バックル（６ａ，６ｂ）のいずれか一方が取り付けられていることを特徴とする請求項２、３又は４に記載の玉掛け吊具。
【請求項６】
前記の連結用バックルとして、ワンタッチで２本の胴巻バンドを離合させるワンタッチタイプの連結用バックルが取り付けられていることを特徴とする請求項２〜５のいずれかに記載の玉掛け吊具。
【請求項７】
請求項１〜６のいずれかに記載の玉掛け吊具を用いる玉掛け方法であって、隣り合う玉掛け吊具の間を、長さ調節用のアジャスターを取り付けた胴巻バンドを用いて連結することを特徴とする玉掛け方法。
【発明の詳細な説明】
【技術分野】
【０００１】
本発明は、重量物をクレーン等により高所に吊り上げて設置するための玉掛け（吊上げる荷の荷造り）に用いる玉掛け吊具及び玉掛け方法に関する。例えば、高層マンションの建設工事において、エアコンなど多数の小・中程度の重量物を所要の位置に吊り上げ設置するのに好ましく用いることができる。
【背景技術】
【０００２】
ビルの建築現場等において高所に吊り上げ設置されることが想定されるエアコンなどの重量物は、作業が円滑に進められるよう従来は本体の上部にあらかじめアイボルトなどの吊り金具が取り付けられていた。従って、少々の個数の揚重物があっても特別に玉掛けすることもなく、容易に一個づつ所定の設置位置までクレーン等で吊り上げて設置することができた。しかし、昨今はこれら機器にも徹底した軽量化、コストダウンが図られることになって、直接に本体機能や消費者に関係のない吊り金具等の部材は取り付けられなくなり、かつ、本体のケーシングそのものが吊上げ荷重に耐える強度を持たないものになった。このため工事現場等では、これらの機器を吊り上げるのに際し荷の底部からスリング（玉掛けに用いるロープ、ベルト、チェーン等）を掛けるのみならず、吊上げ作業中に風圧等で荷が横転したり落下することのないよう、機器の胴部（吊上げ時における機器の上下方向の中間部）横方向にロープやベルトを巻き付け、スリングに固定して安全を図る必要があった。そして、前記の玉掛け作業は少なからぬ作業及び時間を費するものになっていた。しかも、これらの玉掛け作業は吊り荷１個ごとに繰り返ししなければならない。そこで、過去にも玉掛け作業を合理化することを目的として下記のの発明や考案が提案されている。
【０００３】
【特許文献１】実願昭５１−０９５７２３号（実開昭５３−０１５２８３号）の                    マイクロフィルム
【特許文献２】特開平４−３４１４９１号公報
【発明の開示】
【発明が解決しようとする課題】
【０００４】
しかし、前記提案に記載された玉掛け吊具類は、それぞれに特長があるものの、吊り荷の形状や大きさが異なるたびにスリング等を交換し胴巻バンドを巻き直す必要がある。従って、玉掛けに要する作業時間が十分に短縮されないという問題がある。また、胴巻きしたロープ等による荷の擦過傷発生等の問題もあった。本発明は、玉掛け作業を合理化して、簡便に迅速、確実な玉掛けをすることのできる玉掛け吊具及び玉掛け方法を課題として完成されたものである。
【課題を解決するための手段】
【０００５】
すなわち、本発明にかかる玉掛け吊具及び玉掛け方法においては、吊り上げ方向に荷重を受けるスリングと吊り荷を安定させる胴巻バンドとが交叉する部位を、適正な位置に移動し固定して安定した揚重を実施できるようにする。さらに玉掛けに際して連結用バックルを用いることにより胴巻バンドを迅速に取り付けることを特徴とする玉掛け吊具及び玉掛け方法を手段とする。
【０００６】
本発明玉掛け吊具の実施形態例につき図面を参照して説明する。本発明の玉掛け吊具は、固定板４と胴巻バンド３とを含んでなる。固定板にはスリング２を挿通してスリング上を移動し所要の位置に固定するための少なくとも２つの孔５ａ，５ｂからなるスリング挿通孔が設けられ、固定板のスリング方向に交叉する双方向の端部にそれぞれ胴巻バンド３ａ，３ｂが取り付けられている。スリング挿通孔にスリングを挿通して固定板をスリング上で移動可能に取り付ける。胴巻バンドの取付を容易にするには、少なくとも一方の胴巻バンドの先端に離合が容易な連結用バックル６を結合し、これを利用して必要な胴巻バンドに連結して玉掛けする。スリングに負荷がかかると、胴巻バンドとスリングとの交叉部８が固定される。
【発明の効果】
【０００７】
本発明の玉掛け吊具は、スリング上を自由に胴巻バンドと交叉させる適正な位置に移動させて固定することができる。そして、着脱自在あるいは長さを調節できる胴巻バンドが連結され、もしくは連結することにより、極めて簡単な操作により胴巻バンドの長さを調整して玉掛けし、又解除することができる。従来は吊り荷を玉掛けして吊り上げる都度、繰り返し実施しなければならなかった胴巻バンドの巻付などの玉掛け作業が、簡単な長さの調節と殆どワンタッチの作業として実施することができる。とくに多数の同一又は類似する形状の吊り荷をそれぞれ所要の場所に吊り上げて設置する場合や荷下ろしを、少人数で迅速に実施できるので労務コストと時間とが節減され、玉掛けの合理化に大きな効果を期待できる。
【発明を実施するための最良の形態】
【０００８】
本発明を実施するための玉掛け吊具の最良の形態に関し、図面を参照して具体的に説明する。図１は本発明玉掛け吊具の実施形態例を示す斜視図であり、図２は本発明玉掛け吊具を用いた玉掛け例を示すイラスト図、図３は本発明において使用する胴巻バンドに取り付ける連結用バックルとアジャスターの例を示す側面図である。図４はスリングと胴巻きバンド、あるいはスリングとスリングとの交叉部を固定するための簡易固定板の一例を示す斜視図である。
【０００９】
本発明玉掛け吊具は、スリング２と胴巻バンド３とを用いる玉掛けに使用し、とくにスリングと胴巻バンドとの交叉部８を容易に固定すること、玉掛けを少人数、かつ迅速に実施するためのものである。そして、基本的に固定板４と胴巻バンド３と胴巻バンド先端に結合された連結用バックル６とを含んで構成される。連結用バックル６は必ずしも固定板に取り付けられた胴巻バンド３の先端部に結合されるとは限らない。
【００１０】
固定板４は、揚重時にスリング２あるいは胴巻バンド３の位置がずれて吊り荷１が横転したり落下しないようにスリングと胴巻バンドとの交叉部８を固定し、玉掛けの安定を図るためのものである。固定板４には、スリング２を挿通することによってスリング上を移動し所要の位置に固定するために、適宜の間隔をおいた少なくとも２つの孔５ａ，５ｂを配列して設けておく。前記の挿通孔５ａ，５ｂを通してスリング２を表から裏へ、さらに裏から表に挿通させることによって固定板４はスリング上を移動可能に取り付けられる。スリング２が荷重による負荷を受けていないときには、固定板４はスリング上、所定の位置に移動させることができるが、吊り荷１を吊り上げてスリング２が長手方向に荷重を受けるとその位置に固定される。配列する孔の数は２孔に限られず、条件によっては３孔以上を設けてもよい。挿通孔５の形状は、挿通するスリング２の断面形状に合わせればよく、必要により固定されたスリングが滑るのを防止するため周縁に、例えば凹凸をつけることもできる。
【００１１】
また、固定板４にはスリング２の方向に対して交叉する、一般には直交することになるがその双方向の端部に胴巻バンド３ａ，３ｂを取り付けておく。胴巻バンド３ａ，３ｂを固定板４に取り付けるには、例えば、固定板４に挿入されるスリング２に交叉する方向に適当な間隔をおいて胴巻バンドの取付孔９ａ，９ｂを配列して設け、胴巻バンド３ａ，３ｂの一端を挿通して折り返し縫い付けるとよい。
【００１２】
固定板４の平面形状は、矩形、十字形、楕円形など、とくに制限はなく使用条件に従って適宜に決めてよい。固定板４には、強度、耐摩耗性等の観点から通常金属板を使用するが、使用条件が合えばプラスチック板、セラミック板などの適当な素材を用いてもよい。スリング２及び／又は胴巻バンド３にロープを用いるケースもあるが、いずれも吊り荷１を安定して吊り上げ、傷つける懸念の少ない帯状のベルトを利用することが望ましい。スリング２や胴巻バンド３の素材にとくに制限はなく、条件によりナイロン、ポリエステルなどの合成繊維や麻などの天然繊維、ゴムなどを含浸または積層させたベルト類を利用する。スリング２の両端は折り曲げてフック等の吊り金具に掛けやすいように環に形成しておくとよい。
【００１３】
胴巻バンド３ａ，３ｂのうち、少なくとも一方の胴巻バンドの先端には他の胴巻バンド端と自在に結合させ、解離させるための連結用バックル６ａ，６ｂを取り付ける。使用するバックルの種類、形式は、強度と確実性とは別としてとくに制限はなく、衣料用バンド等に使用されている一体形式（連結する胴巻バンドの一方の側に主要部が取り付けられるバックル）の連結用バックルを利用してもよい。しかし、好ましくはシートベルト等に使用されている公知の雄型６ａと雌型６ｂとで結合させるセパレートタイプの、中でも基本的にワンタッチで離合する連結用バックルを利用することによって、胴巻バンドの取付作業の能率を大きく向上することができる。なお、前記したように胴巻バンド３ａ，３ｂに連結される相手側胴巻バンドに一体タイプの連結用バックルを結合されている場合等においては、本玉掛け吊具側の胴巻バンドに連結用バックルは不要である。
【００１４】
さらに、胴巻バンド３には、望ましくは吊り荷の形状に応じて確実かつ容易に玉掛けを行うために自在に所要長さに調整できるアジャスター７を取り付けておく。アジャスター７は、操作が容易で確実な機能があればとくに制限はなく複数の孔を配列し胴巻バンドを挿通して折り返し、孔の間の仕切を巻いて胴巻バンド挿入内側に重ねる、例えば図３に記載の方法が一般的である。
【００１５】
本発明玉掛け吊具を用いる玉掛けでは、一般的に各スリングと胴巻バンドとの交叉部ごとに本発明玉掛け吊具を取り付け、それらの間を胴巻バンドで連結して玉掛けする。たとえば、使用条件に応じて比較的長尺の胴巻バンドを玉掛け吊具に取り付けておけば、隣り合う玉掛け吊具と直接連結することができる。しかし、吊り荷の形状がまちまちの場合などでは、玉掛け吊具に結合する胴巻バンドを短くしておき、隣り合う玉掛け吊具の間を別途長さ調節用のアジャスターを取り付けた胴巻バンドを用いて連結することにより、玉掛けを確実、迅速に実施することができる。この他にも、例えばスリングとスリングとが交叉する吊り荷の底部や、条件によりスリングと胴巻きバンドとの交叉部のすべてに玉掛け吊具を取り付ける必要のない場合には、図４に示したような交叉部を固定する簡易固定板１０を利用して玉掛けしてもよい。
【産業上の利用可能性】
【００１６】
本発明は、多数のエアコンやガスヒートポンプ室外機など、同一形状、若しくは類似形状の機器を多数吊り上げ所要の場所に設置する必要がある高層集合住宅の建設現場における利用可能性が大きい。
【図面の簡単な説明】
【００１７】
【図１】本発明玉掛け吊具の一実施形態例を示す斜視図
【図２】本発明玉掛け吊具を用いた玉掛けの一例を示すイラスト図
【図３】本発明に使用するバックルとアジャスターの一実施形態例例を示す側面図
【図４】スリングと胴巻きバンド、あるいはスリングとスリングとの交叉部を固定す          る簡易固定板の一例を示す斜視図
【符号の説明】
【００１８】
１：吊り荷                          ２：スリング
３，３ａ，３ｂ：帯状の胴巻バンド    ４：固定板
５ａ，５ｂ：スリングの挿通孔        ６，６ａ，６ｂ：連結用バックル
７：アジャスター                    ８：スリングと胴巻バンドとの交叉部
９ａ，９ｂ：胴巻バンドの取付孔    １０：簡易固定板
【図１】
2005225597.tif 000003
【図２】
2005225597.tif 000004
【図３】
2005225597.tif 000005
【図４】
2005225597.tif 000006